(57)【要約】【課題】容易に標尺の直立状態を認識及び維持することができ、さらには、配管上に当接された標尺を簡便に、かつ、安定した状態で担持させることができる標尺を提供することで、作業効率の改善を図る。【解決手段】配管敷設工事等に用いられる水準や勾配を計測するための標尺であって、標尺の所定の位置に気泡型水平計を一体的に嵌合させ、さらには、標尺の下端部分の形状を、標尺を配管上に安定した状態で担持できるような形状に形成する。【選択図】図４
2005241460.tif 000002
【特許請求の範囲】
【請求項１】
配管敷設工事等に用いられる水準や勾配を計測するための標尺であって、標尺の表面または裏面のいずれか一方の所定の位置に凹部を設け、該凹部に気泡型水平計を一体的に嵌合させたことを特徴とする標尺。
【請求項２】
配管敷設工事等に用いられる水準や勾配を計測するための標尺であって、標尺の表面から裏面にかけて所定の位置に貫通孔を設け、該貫通孔に気泡型水平計を一体的に嵌合させたことを特徴とする標尺。
【請求項３】
標尺を縦に使用した場合及び横に倒して使用した場合のいずれにおいても水平状態の計測・認識ができるよう、前記気泡型水平計を２個設けたことを特徴とする請求項１又は請求項２に記載の標尺。
【請求項４】
前記標尺の下端部分の形状を円弧状に湾曲した形状としたことを特徴とする請求項１から請求項３に記載の標尺。
【請求項５】
前記標尺の下端部分の形状を逆Ｖ字形状としたことを特徴とする請求項１から請求項３に記載の標尺。
【発明の詳細な説明】
【技術分野】
【０００１】
本発明は、配管敷設工事等に用いられる水準や勾配を計測するための標尺に関するものである。
【背景技術】
【０００２】
住宅建設等において、土地を水平に均すための工事や、生活排水を下水管へ排出させたり上水を引き入れるための配管敷設工事が行われる。配管敷設工事においては、配管に勾配が設けられ、上水や排水が滞りなく配管内を流出できるように敷設工事が行われる。
【０００３】
土地を水平に均す前段階の水平を計測する方法として、ある地点に標尺を立てて、他の地点から水準計測器を通して該標尺を目視したり、あるいは、レーザーポインターからのレーザー光線を該標尺に投射させたりして計測する方法が一般的に採られている。その際、標尺を垂直に直立させなければ正確な勾配は計測できないことから、該標尺に一般的に使用されている水平計を当てがい、標尺の直立状態を保持しながらの作業を行っていた。
【０００４】
また、配管敷設において勾配を設けるための方法として、敷設された配管における下流方向の管上に標尺を当接させ、上流方向から水準計測器を通して該標尺を目視したり、あるいは、レーザーポインターからのレーザー光線を該標尺に投射させたりして計測する方法が一般的に採られている。その際も上記同様、標尺を垂直に直立させなければ正確な勾配は計測できないことから、該標尺に一般的に使用されている水平計を当てがい、標尺の直立状態を保持しながらの作業を行っていた。
【特許文献１】特開２００１−１５９１８４号公報
【発明の開示】
【発明が解決しようとする課題】
【０００５】
しかしながら、上記方法による計測は、標尺とは別に水平計を当てがう必要があることから手間が掛かり、また、作業中に当てがった水平計のズレが生じたりして、正確な計測を必要とする配管敷設工事等の作業効率を悪化させていた。
【０００６】
また、配管敷設工事において実際に勾配の計測を行う場合に、敷設された配管の管上に標尺の下端を当接させて作業が行われるが、配管された管の形状は円形筒状であるのに対し、標尺は厚みのある長方形状であるため、標尺の下端が管上に１点で接触することとなり、該標尺が管上から滑り落ちたり、位置が定まらず不安定な状態に置かれることとなって、さらに作業効率の悪化を招いているといった問題があった。
【０００７】
かかる問題点に鑑み、本発明は、容易に標尺の直立状態を認識及び維持することができ、さらには、配管上に当接された標尺を簡便に、かつ、安定した状態で担持させることができる標尺を提供することで、作業効率の改善を図ることを目的とする。
【課題を解決するための手段】
【０００８】
前記目的を達成するため、本発明は、配管敷設工事等に用いられる水準や勾配を計測するための標尺であって、標尺の表面または裏面のいずれか一方の所定の位置に凹部を設け、該凹部に気泡型水平計を一体的に嵌合させた構成となっている。
【０００９】
また、本発明は、標尺の表面から裏面にかけて所定の位置に貫通孔を設け、該貫通孔に気泡型水平計を一体的に嵌合させた構成にすることができる。
【００１０】
さらに、本発明は、標尺を縦に使用した場合及び横に倒して使用した場合のいずれにおいても水平状態の計測・認識ができるよう、前記気泡型水平計を２個設けた構成とすることもできる。
【００１１】
またさらに、本発明は、前記標尺の下端部分の形状を、円弧状に湾曲した形状とした構成を採ることができる。
【００１２】
さらにまた、本発明は、前記標尺の下端部分の形状を、逆Ｖ字形状とした構成を採ることもできる。
【発明の効果】
【００１３】
本発明による標尺によれば、標尺とは別に水平計を当てがう必要はなくなり、作業上の手間を省くことができ、また、容易に標尺の直立状態を認識及び保持できるため、正確な水準や勾配を計測することが容易となり、作業効率の改善が図られる。
【００１４】
また、標尺の下端における形状を円形状や逆Ｖ字形状とすることで、配管敷設工事における敷設された配管上に該標尺を確実に担持でき、また、その状態を簡便に、かつ、安定して維持し続けることができることから、さらに作業効率の改善が図られるといった効果もある。
【発明を実施するための最良の形態】
【００１５】
以下、本発明による標尺の実施形態を図面に基づいて説明する。
【００１６】
図１は、本発明による気泡型水平計２ａを一体的に嵌合させた標尺１を示す斜視図である。標尺１は、通常使用されているものと同様のものであり、木製あるいはプラスチックや合成樹脂製の本体にメモリ１ａが付され、その外周にアルミ等の金属によるカバー１ｂが取付けられている。標尺１の表面あるいは裏面における所定の位置には凹部が設けられ、該凹部に内部に気泡型水平計２ａを有する外枠２が嵌合され、標尺１と一体となって装着されている。このとき、標尺１に設けられる凹部の位置については特に限定はなく、標尺１を直立させた際の水平状態が認識できる位置であれば足りる。
【００１７】
尚、前記凹部の替わりに標尺１の表面から裏面にかけて所定の位置に貫通孔を設け、該貫通孔に内部に気泡型水平計２ａを有する外枠が嵌合され、標尺１と一体的に装着させる構成を採ることもできる。かかる構成とすることで、表面及び裏面の両面から気泡型水平計２ａを視認することができるといった効果がある。
【００１８】
図２は、本発明に係る標尺１に嵌合させた気泡型水平計２ａを示す部分拡大図である。気泡型水平計２ａは、外枠２と一体的に成型されている。該外枠２の色彩は、該気泡型水平計２ａが視認可能なように透明あるいは半透明であって、材質としてはガラスやプラスチック等により成型される。また、大きさは、標尺１に付されたメモリ１ａを確認することが可能な程度とすることが望ましい。一般に、標尺には左右両端に同一のメモリ１ａが付されていることから、図示されているように、一方のメモリ１ａが消えてしまう程度の大きさであればよい。
【００１９】
図３は、本発明に係る標尺１に嵌合させた気泡型水平計２ａ・２ｂが２個設けられている状態を示す部分拡大図である。一の気泡型水平計２ａは、標尺１を通常使用する状態である縦に使用した場合に機能し、もう一方の気泡型水平計２ｂは、標尺１を横に倒して使用した場合に機能する。すなわち、一の気泡型水平計２ａと他の気泡型水平計２ｂとの向きの位置関係は直角となる。かかる構成を採用することにより、標尺１を縦に使用した場合及び横に倒して使用した場合のいずれにおいても水平状態の計測・認識が可能であり、標尺１の適用範囲が広がることとなる。
【００２０】
図４は、本発明に係る標尺１の下端部分３の形状を円弧状に湾曲した形状とした構成を採用した場合を示す斜視図である。従来、標尺１の下端部分の形状は平面形状であったため、標尺１の下端部分を配管上に当接させた際、標尺１の下端と管の外周とが１点のみで接することとなって、標尺１の直立状態を維持するのにとても不安定であった。そこで、本発明に係る構成を採ることにより、配管敷設工事において標尺１の下端部分３を配管上に当接させた際に、標尺１の下端と管の外周とが面で接することとなって、標尺１の直立状態を簡便かつ安定的に維持できることとなる。
【００２１】
かかる形状を設ける構成としては、既存の標尺１の下端に円弧状に湾曲した形状に形成した部材を接着剤や接続部材を用いて後から取付ける構成を採ることができる。また、標尺１の外周に取付けるカバー１ｂの下端部分に相当する部分の形状を、その成型段階において初めから円弧状に湾曲した形状に一体成型することにより、標尺１の下端部分にかかる形状を設ける構成を採ることも可能である。
【００２２】
尚、かかる円弧状に湾曲した形状は、直径１００ｍｍ管の外周に沿う形状とすることが望ましいが、これに限定されるものではない。ただし、あまり径の細い管の外周に沿う形状とすると、標尺１の本体から円弧状に形成された下端部分が大きく突出することとなるため、一般に多く使用される１００ｍｍ管の外周に沿う形状とすることが最も望ましい。
【００２３】
図５は、本発明に係る標尺１の下端部分４の形状を逆Ｖ字形状とした構成を採用した場合を示す斜視図である。上記同様の問題から、かかる構成を採ることにより、配管敷設工事において標尺１の下端部分４を配管上に当接させた際に、標尺１の下端と管の外周とが２点で接することとなって、標尺１の直立状態を簡便かつ安定的に維持できることとなる。
【００２４】
尚、かかる形状を設ける構成としては、上記同様、既存の標尺１の下端に逆Ｖ字形状に形成した部材を接着剤や接続部材を用いて後から取付ける構成を採ることができ、また、標尺１の外周に取付けるカバー１ｂの下端部分に相当する部分の形状を、その成型段階において初めから逆Ｖ字形状に一体成型することにより、標尺１の下端部分にかかる形状を設ける構成を採ることも可能である。
【００２５】
図６は、本発明に係る標尺１を横に倒して実際に使用した状態の一例を示す説明図である。本図では、配管Ｋの水平状態を計測している状態を示している。この場合、標尺１に嵌合された２個の気泡型水平計２ａ・２ｂのうち、一方の気泡型水平計２ｂが機能し、配管Ｋの水平状態を計測・認識することができる。尚、気泡型水平計２ｂの気泡の位置により、配管Ｋの傾斜を計測・認識することも可能である。
【００２６】
図７は、本発明に係る標尺１を縦にして配管敷設工事に実際に使用した状態の一例を示す説明図である。配管敷設工事においては、配管Ｋに勾配を設け、上水や排水が滞りなく配管Ｋ内を流出できるように敷設工事が行われる。その際の勾配を設けるための方法として、敷設された配管Ｋにおける下流方向の管上に標尺１を当接させ、上流方向から水準計測器を通して該標尺１を目視したり、あるいは、レーザーポインターＬからのレーザー光線５を該標尺に投射させたりして計測する方法が一般的に採られているが、図面では後者を例に採っている。
【００２７】
作業工程は、配管Ｋの上流方向に設置されたレーザーポインターＬからレーザー光線５を水平に発射し、下流方向には作業者が標尺１を持って配管Ｋの管上に該標尺１を直立状態を維持しつつ当接させ、レーザー光線５が標尺１に付されたメモリ１ａのどの位置に投射されるかによって、配管Ｋの勾配が計測される。標尺１の直立状態は、該標尺１に嵌合された気泡型水平計２ａにより確認しながら維持されることとなる。実際の作業においては、レーザーポインターＬのある位置から一定間隔ずつ下流方向に離れた複数の箇所において行われ、それらの計測結果を集計することにより、配管Ｋ全体の勾配が導かれる。
【００２８】
図８から図１１は、標尺１の下端部分の形状によって、該標尺１の下端と配管Ｋとがどのように当接するかの概略を示す説明図である。
【００２９】
図８及び図９は、標尺１の下端部分３の形状を円弧状に湾曲した形状とした場合を示す。図８に示す通り、標尺１の下端部分３の全体が配管Ｋの外周に当接する場合には、該標尺１を最も安定した状態で簡便に配管Ｋ上に担持でき、また、直立状態を維持するにも容易となる。図９は標尺１の下端部分３の全体が配管Ｋの外周に当接する場合以上の径を有する配管Ｋを対象とした場合の当接状態を示している。かかる場合であっても、円弧状に湾曲した形状に形成された標尺１の下端部分３の両端３ａが配管Ｋの外周上に当接することにより、２点で支持され、該標尺１を安定した状態で簡便に配管Ｋ上に担持でき、また、直立状態を維持するにも容易となる。
【００３０】
図１０及び図１１は、標尺１の下端部分４の形状を逆Ｖ字形状とした場合を示す。図１０は配管Ｋの径が比較的小さい場合を示しており、かかる場合、標尺１の逆Ｖ字形状とした下端部分４の逆Ｖ字面４ａにおける２点において配管Ｋの外周に当接することとなり、該標尺１を安定した状態で簡便に配管Ｋ上に担持でき、また、直立状態を維持するにも容易となる。図１１は配管Ｋの径が比較的大きい場合を示しており、かかる場合、標尺１の逆Ｖ字形状とした下端部分４の両端４ｂが配管Ｋの外周上に当接することにより、２点で支持され、該標尺１を安定した状態で簡便に配管Ｋ上に担持でき、また、直立状態を維持するにも容易となる。
【図面の簡単な説明】
【００３１】
【図１】本発明に係る標尺を示す斜視図である。
【図２】本発明に係る標尺に気泡型水平計を嵌合する場合の一例を示す部分拡大図である。
【図３】本発明に係る標尺に気泡型水平計を嵌合する場合の他の例を示す部分拡大図である。
【図４】本発明に係る標尺の下端部分を円弧状に湾曲した形状とした状態を示す斜視図である。
【図５】本発明に係る標尺の下端部分を逆Ｖ字形状とした状態を示す斜視図である。
【図６】本発明に係る標尺を横に倒して実際に使用した状態の一例を示す説明図である。
【図７】本発明に係る標尺を縦にして配管敷設工事に実際に使用した状態の一例を示す説明図である。
【図８】本発明に係る標尺の下端部分を円弧状に湾曲した形状とした場合に配管との当接状態の一例を示す概略説明図である。
【図９】本発明に係る標尺の下端部分を円弧状に湾曲した形状とした場合に配管との当接状態の他の例を示す概略説明図である。
【図１０】本発明に係る標尺の下端部分を逆Ｖ字形状とした場合に配管との当接状態の一例を示す概略説明図である。
【図１１】本発明に係る標尺の下端部分を逆Ｖ字形状とした場合に配管との当接状態の他の例を示す概略説明図である。
【符号の説明】
【００３２】
１    標尺
１ａ  メモリ
１ｂ  カバー
２    外枠
２ａ  気泡型水平計
２ｂ  気泡型水平計
３    下端部分
３ａ  両端
４    下端部分
４ａ  逆Ｖ字面
４ｂ  両端
５    レーザー光線
Ｋ    配管
Ｌ    レーザーポインター
【図１】
2005241460.tif 000003
【図２】
2005241460.tif 000004
【図３】
2005241460.tif 000005
【図４】
2005241460.tif 000006
【図５】
2005241460.tif 000007
【図６】
2005241460.tif 000008
【図７】
2005241460.tif 000009
【図８】
2005241460.tif 000010
【図９】
2005241460.tif 000011
【図１０】
2005241460.tif 000012
【図１１】
2005241460.tif 000013